(57)【要約】      （修正有）【課題】ブロック体とアーチ体との一体感に優れ、簡易にレイアウトの構成や変更を行うことが可能な据置式アーチ装置を提供する。【解決手段】据置式アーチ装置１は、長手方向に長く形成され長手方向に直交する幅方向と深さ方向に短く形成され、長手方向の各々の端部近傍に形成された二つのポール穴５を有する境界地に載置可能なブロック体２と、二つのポール穴５に抜き差し可能に両端部が立設されるアーチ体３を備え、ブロック体２には、アーチ体３の下方にあって植栽を載置可能な長手方向に長いブロック状穴４が形成されていることを特徴とする。【選択図】図１
0003198991.tif 000002
【実用新案登録請求の範囲】
【請求項１】
長手方向に長く形成され前記長手方向に直交する幅方向と深さ方向に短く形成され、前記長手方向の各々の端部近傍に形成された二つのポール穴を有する境界地に載置可能なブロック体と、
二つの前記ポール穴に抜き差し可能に両端部が立設されるアーチ体と
を備え、
前記ブロック体には、前記アーチ体の下方にあって植栽を載置可能な前記長手方向に長いブロック状穴が形成されている
ことを特徴とする据置式アーチ装置。
【請求項２】
前記ブロック状穴の底部は開口している
ことを特徴とする請求項１に記載の据置式アーチ装置。
【請求項３】
前記アーチ体を抜き取ることを防止するロック装置を備え、
前記ロック装置は、
前記ブロック体に設けられたピン部材と、
前記ピン部材に取り外し可能に係合するとともに前記アーチ体が回転可能に貫通するフランジ部材と、
前記ピン部材と前記フランジ部材との係合関係を開閉する鉤装置と
を有する
ことを特徴とする請求項１乃至２のいずれか一項に記載の据置式アーチ装置。
【請求項４】
前記アーチ体は前記ブロック体の底部で前記ブロック体に取付可能である
ことを特徴とする請求項１乃至２のいずれか一項に記載の据置式アーチ装置。
【請求項５】
前記アーチ体は、所望のラインに沿って据置された複数の前記ブロック体の隣接する二つの前記ブロック体の前記ポール穴に立設可能である
ことを特徴とする請求項１乃至４のいずれか一項に記載の据置式アーチ装置。
【考案の詳細な説明】
【技術分野】
【０００１】
本考案は、据置式アーチ装置に係り、特に、店舗前や公共施設等の外構等にエリアガードとして機能可能な据置式アーチ装置に関する。
【背景技術】
【０００２】
植栽が植えられたプランターや車止めポールが、店舗とその前の道路との境界領域や公園等の公共施設の外構等にエリアガードとして設けられている。
【０００３】
図１３には、境界地の地面に設置されたコの字型の車止めポール３１と車止めポール３１の下方に据置されたプランター３２とによってエリアガードが形成された例が示されている。
【０００４】
図１４には、駐輪場と道路とを仕切るエリアガードとして、複数個の車止め体３５が一列に配列されている例が示されている。車止め体３５は、コの字型のアーチ体３３とアーチ体３３の両端部が埋め込まれたコンクリート製の二つのブロック体３４とから構成されている。
【０００５】
図１５には、安定性の高い大型のプランター３６と車止めポール３７とが交互に配列されて構成されたエリアガードが示されている。
【０００６】
上述のように、従来において車止めポール３１やプランター３２や車止め体３５等がエリアガードを形成する場合には、車止めポール３１やプランター３２や車止め体３５等は各々が互いに個別的に構成され、それらが単独で用いられるか、あるいは互いに組み合わせて用いられるかされていた。
【先行技術文献】
【特許文献】
【０００７】
【特許文献１】特開２０１４−１７１４５０号公報
【特許文献２】特開２０１３−５３４６６号公報
【特許文献３】登録実用新案第３００７６０８号公報
【考案の開示】
【考案が解決しようとする課題】
【０００８】
このため、例えば図１３に示す例では、互いに別体の車止めポール３１とプランター３２とを組み合わせているために、エリアガードに粗雑感を与えたり、あるいは長さの拡張性に限界があるという問題があった。  
また、図１４に示す例では、二つのブロック体３４にアーチ体３３が一体不可分に取り付けられているためにレイアウトの選択に制限があり、また機能性が強く無機質な印象を与えデザイン性に乏しいという問題があった。  
また、図１５に示す例では、安定性を確保するためにプランター３６を大型にする必要があり、広い設置面積を必要としまた重いために簡単にレイアウトを変更しにくいという問題があった。
【０００９】
そこで、本願考案の目的は、上記の従来技術の問題を解消し、ブロック体とアーチ体との一体感に優れ、簡易にレイアウトの構成や変更を行うことが可能な据置式アーチ装置を提供することである。
【課題を解決するための手段】
【００１０】
上記目的を達成するために、本願考案に係る据置式アーチ装置は、長手方向に長く形成され前記長手方向に直交する幅方向と深さ方向に短く形成され、前記長手方向の各々の端部近傍に形成された二つのポール穴を有する境界地に載置可能なブロック体と、二つの前記ポール穴に抜き差し可能に両端部が立設されるアーチ体とを備え、前記ブロック体には、前記アーチ体の下方にあって植栽を載置可能な前記長手方向に長いブロック状穴が形成されていることを特徴とする。
【００１１】
また、前記ブロック状穴の底部は開口していることを特徴とする。
【００１２】
また、前記アーチ体を抜き取ることを防止するロック装置を備え、前記ロック装置は、前記ブロック体に設けられたピン部材と、前記ピン部材に取り外し可能に係合するとともに前記アーチ体が回転可能に貫通するフランジ部材と、前記ピン部材と前記フランジ部材との係合関係を開閉する鉤装置とを有することを特徴とする。
【００１３】
また、前記アーチ体は前記ブロック体の底部で前記ブロック体に取付可能であることを特徴とする。
【００１４】
また、前記アーチ体は、所望のラインに沿って据置された複数の前記ブロック体の隣接する二つの前記ブロック体の前記ポール穴に立設可能であることを特徴とする。
【考案の効果】
【００１５】
本願考案の構成によれば、境界地に載置可能なブロック体とブロック体に抜き差し可能に立設されるアーチ体とから構成されているので、車止めのように対象とする境界地に埋め込み施工等を行うことなく単に据え置くだけで簡易に所望の境界地にエリアガードを形成することができる。
【００１６】
また、ブロック状穴の底部は開口しているので、ブロック体自体の容器的用途感を薄めることができ、エリアガードとしてデザイン性を高めることができる。
【００１７】
また、アーチ体を抜き取ることを防止するロック装置を備え、ロック装置は、ブロック体に設けられたピン部材と、ピン部材に取り外し可能に係合するとともにアーチ体が回転可能に貫通するフランジ部材と、ピン部材とフランジ部材との係合関係を開閉する鉤装置とを有するので、鉤装置を開錠するだけでアーチ体とブロック体とを分離でき運搬し所望のレイアウトを形成した後に鉤装置で簡易にアーチ体とブロック体とを分離不能に施錠することができる。
【００１８】
また、アーチ体はブロック体の底部でブロック体に取付可能であるので、アーチ体を抜き取ることを防止するロック装置を簡易に構成することができる。
【００１９】
また、アーチ体は、所望のラインに沿って据置された複数の前記ブロック体の隣接する二つのブロック体のポール穴に立設可能であるので、直状的間隔や曲げ状間隔を組合せて境界地の形状等に応じて種々のレイアウトを構成することができる。
【図面の簡単な説明】
【００２０】
【図１】本願考案の一実施の形態に係る据置式アーチ装置を示す斜視図。
【図２】植栽を載置した据置式アーチ装置の例を示す図。
【図３】他の実施の形態に係る据置式アーチ装置を示す斜視図。
【図４】図３に示す据置式アーチ装置のアーチ体とブロック体の関係を示す図。
【図５】図４に示す据置式アーチ装置のアーチ体の端部の構成を示す断面図。
【図６】図４に示す据置式アーチ装置のアーチ体の端部の組立関係を示す。
【図７】他の実施の形態に係る据置式アーチ装置を示す断面図。
【図８】複数の据置式アーチ装置により構成したレイアウトの例を示す斜視図。
【図９】複数の据置式アーチ装置により構成したレイアウトの他の例を示す斜視図。
【図１０】複数の据置式アーチ装置により構成したレイアウトの更に他の例を示す斜視図。
【図１１】据置式アーチ装置の使用例であり、通行路の両側に据置され通行可能であることを示す斜視図。
【図１２】図１１におけるアーチ体の位置を変え、通行不能であることを示す斜視図。
【図１３】従来のエリアガードの一例を示す図。
【図１４】従来のエリアガードの他の例を示す図。
【図１５】従来のエリアガードの更に他の例を示す図。
【考案を実施するための最良の形態】
【００２１】
以下に図面を参照して、本願考案に係る据置式アーチ装置の実施の形態について説明する。  
図１に、本実施の形態に係る据置式アーチ装置１を示す。据置式アーチ装置１は単一ユニットを示し、複数の据置式アーチ装置１を配列してレイアウトすることも可能である。
【００２２】
据置式アーチ装置１は、境界地に載置可能なブロック体２と、ブロック体２に立設されるアーチ体３とから構成されている。  
ブロック体２は、例えばコンクリート材で構成され、長手方向に長く形成され長手方向に直交する幅方向と深さ方向に短く形成されており、中央部はほぼ直方体状の形状を有し、両端側部は半円筒状の形状を有する。図１に示すように、底部には両端側部に薄い厚さの脚部を形成するようにしてもよい。ブロック体２のほぼ直方体状の中央部には、長手方向に長いほぼ直方体状のブロック状穴４が形成されている。ブロック状穴４には、必要に応じて図２に示すように植栽７等を置くことできる。
【００２３】
ブロック状穴４の底部の全面あるいは一部には据置地面へ貫通する開口部４ａを形成してもよい。開口部４ａが形成される場合、ブロック状穴４の底部は据置地面へ貫通しているので、ブロック体２自体の容器的用途感を軽減することができ、ブロック状穴４に植栽７等を置かない場合であってもブロック体２が自律的にエリアガードの一部として機能しデザイン性を高めることができる。なお、開口部４ａとしては、必ずしも底部の全面に設けることに限られず、雨水を通せる程度の穴を形成してもよい。開口部４ａがブロック状穴４の底部の全面に形成されている場合には、植栽等はブロック体２内部の載置面に置かれることになる。
【００２４】
ブロック体２の半円筒状の両端側部には、アーチ体３を立設するための二つのポール穴５が形成されている。アーチ体３は例えばステンレスパイプで構成され、例えばコの字形状を有するが、コの字形状に限らず弧状等の他の形状であってもよい。アーチ体３の両側のポール部の根元近傍にはフランジ部材６が取り付けられており、ポール部はフランジ部材６を貫通してポール穴５に差し込まれる。アーチ体３はポール穴５に抜き差し可能に形成されている。アーチ体３がポール穴５に差し込まれた場合に、フランジ部材６がポール穴５を塞ぎアーチ体３がフランジ部材６とポール穴５とによって支持されてブロック体２に立設される。ポール穴５は、立設されるアーチ体３ががたがたしないように、アーチ体３の太さよりわずかだけ大きく形成されている。
【００２５】
アーチ体３はポール穴５に抜き差し可能であるので、ブロック体２とアーチ体３とを別々に所望の境界地に運んだ後にアーチ体３をブロック体２に差し込むことができ、また、据置式アーチ装置１を他の境界地に使用する場合にはアーチ体３をブロック体２から抜き取り運ぶことができる。
【００２６】
次に、図３乃至図７を参照して、アーチ体３をブロック体２から抜き取ることを防止するロック装置８について説明する。  
ロック装置８は、図３に示すように、ピン孔の形成されたブロック体２に取り付けられたピン部材１０と、図１に示した二つのフランジ部材６のうちの一つのフランジ部材６に代えたフランジ部材９と、ピン部材１０のピン孔に施錠されフランジ部材９とピン部材１０との係合関係を開閉する鉤装置１１とから構成されている。
【００２７】
図６に示すように、フランジ部材９には、アーチ体３の端部が貫通する第１孔９ａと、ピン部材１０が突出する第２孔９ｂとが形成されている。
【００２８】
次に、図５及び図６を参照して、フランジ部材９のアーチ体３への組み付け方について説明する。  
アーチ体３のフランジ部材９が取り付けられる側のポール部のポール下端部３ａは、アーチ体３の本体から切断されている。フランジ部材９とポール下端部３ａとは次のようにしてアーチ体３本体に結合される。アーチ体３のポール部の内側筒の密接可能な内パイプ１２を用意する。まず、アーチ体３の本体側ポール部に開けておいた溶接用孔を用い溶接部１３ｂによって内パイプ１２を本体側のポール部に固着する。次に、図６に示すように内パイプ１２をフランジ部材９の第１孔９ａを貫通させる。次に、ポール下端部３ａを内パイプ１２に差し込み、下端部の溶接部１３ａで溶接する。この結果、フランジ部材９はアーチ体３の本体側ポール部の下端とポール下端部３ａの上端とによって挟まれているとともに、内パイプ１２の回りにすなわちアーチ体３のポール部の回りに回転自在に、アーチ体３に取り付けることができる。アーチ体３のポール部がフランジ部材９に対して固定的ではなく回転自在であることによって、例えば図１０に示すような曲げ状間隔２０を含むレイアウトを簡易に形成することが可能になる。
【００２９】
フランジ部材９がアーチ体３のポール部の回りに回転自在に取り付けられたアーチ体３は、図４に示すように、ブロック体２に対し抜き差し自在に取り付けられる。図３に示すように、第２孔９ｂにピン部材１０が通され、ピン部材１０が第２孔９ｂから突出する。ピン部材１０のピン孔に鉤装置１１で施錠することにより、アーチ体３をブロック体２から抜き取ることを防止することが可能になる。なお、比較的に人の目の届き易い場所等ではロック装置８は不要であることもあり、その場合には、図３に示す据置式アーチ装置１に代えて図１に示す据置式アーチ装置１を用いればよい。
【００３０】
次に、図７を参照して、アーチ体３をブロック体２から抜き取ることを防止する他のロック装置１４について説明する。  
ブロック体２のポール穴５の下部にはポール穴５の径より大きい径の底穴１８が形成されている。ロック装置１４は、ボルト部材１５と、アーチ体３のポール部の端部に固着されボルト部材１５と螺合可能なナット部材１６と、ボルト部材１５によってナット部材１６に取り付けられポール穴５を塞ぐことが可能な蓋部材１７とを備えている。ポール穴５に差し入れられたアーチ体３のポール部の端部に、底穴１８の側から蓋部材１７をボルト部材１５でナット部材１６に固定することによって、アーチ体３をブロック体２から抜き取ることを防止することができる。
【００３１】
次に、図８乃至図１２を参照して、複数の据置式アーチ装置１を組み合わせて構成されるレイアウトについて説明する。  
図８に示すように、複数の据置式アーチ装置１を直状的間隔１９をおいて直線状に配置することにより、境界地をエリアガードとして仕切ることができる。また、図９に示すように、曲げ状間隔２０をおいて境界地の形状等に応じてレイアウトを変更することができる。
【００３２】
また、図１０に示すように、所望のラインに沿って据置された複数のブロック体２の隣接する二つのブロック体２のポール穴５にアーチ体３を立設することができる。ここでは、直状的間隔１９の上と曲げ状間隔２０の上にアーチ体３が跨がっている。
【００３３】
図９と図１０とでは、ブロック体２の配置位置は同じである。図９に示す場合には、適度の境界区切り感と適度な開放性とを混ぜて境界地にエリアガードを形成することができる。また、図１０に示す場合には、限られた個数のブロック体２のもとで、直状的間隔１９の上と曲げ状間隔２０の上にアーチ体３が跨がっていることにより、境界区切り感をより強めたエリアガードを形成することができる。
【００３４】
次に、据置式アーチ装置１の他の使用例について説明する。  
図１１及び図１２において、矢印Ａで示した通行路の両側に一対のブロック体２ａ、２ｂが据置されている。また、一対のブロック体２ａ、２ｂは、互いのポール穴５の間の間隔Ｄが単一のアーチ体３の両側のポール部の間の間隔に等しくなるように、据置されている。
【００３５】
図１１に示すように、ブロック体２ａには矢印Ａに沿った方向にアーチ体３が立設されており、これによって、一対のブロック体２ａ、２ｂの間を通過通行可能であることを認知させることができる。
【００３６】
また、図１２に示すように、一対のブロック体２ａ、２ｂの互いのポール穴５の間の間隔Ｄが単一のアーチ体３の両側のポール穴５の間の間隔に等しいので、アーチ体３を、一対のブロック体２ａ、２ｂの互いのポール穴５に立設することができる。これによって、一対のブロック体２ａ、２ｂの間を通過通行が禁止されていることを認知させることができる。
【００３７】
以上、本実施の形態によれば、据置式アーチ装置１は、境界地に載置可能なブロック体２とブロック体２に抜き差し可能に立設されるアーチ体３とから構成されているので、車止めのように対象とする境界地に埋め込み施工等を行うことなく単に据え置くだけで簡易に所望の境界地にエリアガードを形成することができる。
【００３８】
また、アーチ体３はブロック体２に対し抜き差し可能であるので、アーチ体３とブロック体２とを分離してエリアガードを形成する場所へ運搬し、そこで簡易に組み立てることができる。
【００３９】
また、ブロック体２には、植栽を載置可能なブロック状穴４が形成されているので、容易に運搬をできるように軽く形成することができ、また、ブロック状穴４に植栽を載置しアーチ体３と共にデザイン性の高いエリアガードを形成することができる。
【００４０】
また、ブロック状穴４の底部に据置地面へ貫通する開口部４ａを形成してもよく、ブロック体２自体の容器的用途感を薄めることができ、エリアガードの一部としてデザイン性を高めることができる。
【００４１】
また、アーチ体３をブロック体２から抜き取ることを防止するロック装置８あるいはロック装置１４を備えているので、アーチ体３を盗難等から回避することができる。
【００４２】
また、ロック装置８はピン部材１０とフランジ部材９と鉤装置１１とで構成されているので、鉤装置１１を開閉するだけでアーチ体３とブロック体２とを運搬し所望のレイアウトを形成した後に鉤装置１１で簡易にアーチ体３とブロック体２とを分離不能に施錠することができる。
【００４３】
また、ロック装置１４はボルト部材１５とナット部材１６と蓋部材１７とで構成されているので、ロック装置１４を簡易に構成することができる。
【００４４】
また、据置式アーチ装置１は、他の据置式アーチ装置１と簡易に配列することができるので、複数の据置式アーチ装置１を組み合わせて構成されるレイアウトを簡易に構成することができる。
【００４５】
また、アーチ体３は、所望のラインに沿って据置された複数のブロック体２の隣接する二つのブロック体２のポール穴５に立設可能であるので、複数の据置式アーチ装置１を組み合わせてレイアウトを簡易に構成することができ、また、直状的間隔１９や曲げ状間隔２０を組合せて境界地の形状等に応じて種々のレイアウトを構成することができる。
【００４６】
また、通行路の両側に一対のブロック体２ａ、２ｂを据置し一対のブロック体２ａ、２ｂの互いのポール穴５の間の間隔Ｄを単一のアーチ体３の両側のポール穴５の間の間隔に等しくすることにより、通行路の通過通行の可否を制御することができる。
【符号の説明】
【００４７】
１  据置式アーチ装置
２  ブロック体
３  アーチ体
４  ブロック状穴
４ａ  開口部
５  ポール穴
６、９  フランジ部材
７  植栽
８、１４  ロック装置
１０  ピン部材
１１  鉤部材
１５  ボルト部材
１６  ナット部材
１７  蓋部材
１９  直状的間隔
２０  曲げ状間隔
Ｄ  アーチ体の両側のポール穴の間の間隔
【図１】
0003198991.tif 000003
【図２】
0003198991.tif 000004
【図３】
0003198991.tif 000005
【図４】
0003198991.tif 000006
【図５】
0003198991.tif 000007
【図６】
0003198991.tif 000008
【図７】
0003198991.tif 000009
【図８】
0003198991.tif 000010
【図９】
0003198991.tif 000011
【図１０】
0003198991.tif 000012
【図１１】
0003198991.tif 000013
【図１２】
0003198991.tif 000014
【図１３】
0003198991.tif 000015
【図１４】
0003198991.tif 000016
【図１５】
0003198991.tif 000017